(57)【要約】【課題】  棚設置床面上に置く物品の出し入れに際して運搬機が棚の前後左右いずれの方向にも通過できるようにして、この棚設置床面上に置く物品の出し入れを非常に効率よく行うことができる棚を提供できるようにする。【解決手段】  棚を、矩形の橋板１と、矩形の天板部材３における少なくとも四隅に脚部材４を接続し、かつ前記橋板１の上面と同天板部材３の上面とを段差なく係着できるフック５を配設してなる架台２とで構成し、複数の架台２を、これら架台２間に接続する橋板１の幅に対応する間隔を空け、かつ同架台２のフック５が対向するようにしてそれぞれを配設し、これら架台２のフック５に橋板１を係着して同橋板１を架台間２に架設できるようにする。【選択図】  図１
2010037005.tif 000002
【特許請求の範囲】
【請求項１】
矩形の橋板と、矩形の天板部材における少なくとも四隅に脚部材を接続し、かつ前記橋板の上面と同天板部材の上面とを段差なく係着できる係着手段を配設してなる架台とで構成し、複数の架台を、これら架台間に接続する橋板の幅に対応する間隔を空け、かつ同架台の係着手段が対向するようにしてそれぞれを配設し、これら架台の係着手段に橋板を係着して同橋板を架台間に架設できるように構成してなる棚。
【請求項２】
前記係着手段を配設してなる第２の橋板を設け、同第２の橋板における上面と同前記橋板の上面とを段差なく係着できるようにしてなる請求項１に記載の棚。
【請求項３】
前記橋板を、架台における天板部材の４辺に接続できるように構成してなる請求項１に記載の棚。
【請求項４】
前記架台における脚部材を、天板部材の下面周縁に配設している縦横の桁部材に接続してなる請求項１に記載の棚。
【請求項５】
前記架台における脚部材と桁部材を接続部材で接続していて、かつ脚部材と接続部材が着脱できるように構成してなる請求項４に記載の棚。
【請求項６】
前記接続部材を、脚部材、桁部材に対応させた内外寸法に形成してなる略Ｕ字溝状の接続本体と、脚部材に取り付けて桁部材を支持するブロック体と、接続本体における溝底部を挟んで対向する両側壁の溝底部側と反対方向の側壁上端部側を互いが接近する方向に絞るための締め付け手段とから構成して、接続部材による桁部材と脚部材との接続は、桁部材における一方の端面を接続本体における溝内底部に対向させて同桁部材の端部乃至端部近傍を接続本体の側壁における側壁上端部乃至側壁上端部近傍に、かつ同接続本体の溝内底部と桁部材の端部との間に後で挿通する脚部材が通過できる間隙を設けて固定し、次いで、脚部材における一方の端部から所定の距離を空けた側壁外面にブロック体を固定し、次いで、脚部材におけるブロック体を接続本体における溝上方部開口側に向けて、かつブロック体よりも端部側の部位を桁部材の下方に入れ込み同ブロック体が桁部材に当接するまで脚部材を接続本体における溝内に挿通し、次いで、締め付け手段によって接続本体の桁部材が位置していない部位における両側壁の側壁上端部側を互いが接近する方向に絞り、同両側壁で脚部材を締め付けるようにしてなる請求項５に記載の棚。
【請求項７】
前記桁部材を、接続本体における溝方向の端部乃至端部寄りに位置させて固定してなる請求項６に記載の棚。
【請求項８】
前記接続本体における桁部材の固定部位を、桁部材の外形に合わせて切り欠いてなる請求項６に記載の棚。
【請求項９】
前記接続本体における溝底部を挟んで対向する両側壁の溝底部側と反対方向の側壁上端部を、同溝内に挿通する脚部材よりも高なる位置にしてなる請求項６に記載の棚。
【請求項１０】
前記ブロック体を支点に、締め付け手段によって接続本体の桁部材が位置していない部位における両側壁の側壁上端部側を互いが接近する方向に絞ってなる請求項６に記載の棚。
【発明の詳細な説明】
【技術分野】
【０００１】
本発明は、倉庫において物品を保管するための保管棚やイベント等においてステージとしても使用される棚に関し、より詳しくは、棚における天板下方の棚設置床面上に置く物品の出し入れを効率よく行うことができる棚に関する。
【背景技術】
【０００２】
従来、倉庫において物品を保管するための保管棚やイベント等においてステージとしても使用される棚は、支柱と筋交で構成している支持枠を多数並べて、この支持枠上に設置した大引材の上に棚となる天板を取り付けた構造としている（例えば、特許文献１参照）。
【０００３】
そして、棚における天板下方の棚設置床面上に置く物品の出し入れに際し、棚の前後もしくは左右の一方向を運搬機が通過できるようにしてある。
【０００４】
しかしながら、上述する物品の出し入れに際しては運搬機が棚の前後もしくは左右の一方向にしか通過できないため作業性に難がある。
【０００５】
【特許文献１】特開平１０−８７４９号公報（第１〜７頁、図１〜１２）
【発明の開示】
【発明が解決しようとする課題】
【０００６】
本発明は、棚設置床面上に置く物品の出し入れに際して運搬機が棚の前後左右いずれの方向にも通過できるようにして、この棚設置床面上に置く物品の出し入れを非常に効率よく行うことができる棚を提供できるようにした。
【課題を解決するための手段】
【０００７】
上述した課題を解決するために、本発明に係る棚は、矩形の橋板と、矩形の天板部材における少なくとも四隅に脚部材を接続し、かつ前記橋板の上面と同天板部材の上面とを段差なく係着できる係着手段を配設してなる架台とで構成し、複数の架台を、これら架台間に接続する橋板の幅に対応する間隔を空け、かつ同架台の係着手段が対向するようにしてそれぞれを配設し、これら架台の係着手段に橋板を係着して同橋板を架台間に架設できるように構成したものとしてある。
【０００８】
また係着手段を配設してなる第２の橋板を設け、第２の橋板に前記橋板を、同第２の橋板における上面と同前記橋板の上面とを段差なく係着できるようにしたものとしてある。
【０００９】
また橋板を、架台における天板部材の４辺に接続できるように構成したものとしてある。
【００１０】
また架台における脚部材を、天板部材の下面周縁に配設している縦横の桁部材に接続したものとしてある。
【００１１】
また架台における脚部材と桁部材を接続部材で接続していて、かつ脚部材と接続部材が着脱できるように構成したものとしてある。
【００１２】
さらに接続部材を、脚部材、桁部材に対応させた内外寸法に形成してなる略Ｕ字溝状の接続本体と、脚部材に取り付けて桁部材を支持するブロック体と、接続本体における溝底部を挟んで対向する両側壁の溝底部側と反対方向の側壁上端部側を互いが接近する方向に絞るための締め付け手段とから構成して、接続部材による桁部材と脚部材との接続は、桁部材における一方の端面を接続本体における溝内底部に対向させて同桁部材の端部乃至端部近傍を接続本体の側壁における側壁上端部乃至側壁上端部近傍に、かつ同接続本体の溝内底部と桁部材の端部との間に後で挿通する脚部材が通過できる間隙を設けて固定し、次いで、脚部材における一方の端部から所定の距離を空けた側壁外面にブロック体を固定し、次いで、脚部材におけるブロック体を接続本体における溝上方部開口側に向けて、かつブロック体よりも端部側の部位を桁部材の下方に入れ込み同ブロック体が桁部材に当接するまで脚部材を接続本体における溝内に挿通し、次いで、締め付け手段によって接続本体の桁部材が位置していない部位における両側壁の側壁上端部側を互いが接近する方向に絞り、同両側壁で脚部材を締め付けるようにしたものとしてある。
【００１３】
また前記桁部材を、接続本体における溝方向の端部乃至端部寄りに位置させて固定したものとしてある。
【００１４】
また前記接続本体における桁部材の固定部位を、桁部材の外形に合わせて切り欠いたものとしてある。
【００１５】
また前記接続本体における溝底部を挟んで対向する両側壁の溝底部側と反対方向の側壁上端部を、同溝内に挿通する脚部材よりも高なる位置にしたものとしてある。
【００１６】
また前記ブロック体を支点に、締め付け手段によって接続本体の桁部材が位置していない部位における両側壁の側壁上端部側を互いが接近する方向に絞るものとしてある。
【発明の効果】
【００１７】
本発明の棚によれば、橋板と架台で構築した棚の端部や中央部において架台周囲の４方向が空間として空くので、棚設置床面上に置く物品の出し入れに際し運搬機が棚の前後左右いずれの方向にも通過でき、したがって、棚設置床面上に置く物品の出し入れを非常に効率よく行うことができる。
【００１８】
そして、第２の橋板を設けているものは、構築した棚の端部や中央部において架台周囲の４方向がより大なる空間として空けることができるので、棚設置床面上に置く物品の出し入れに際し、運搬機器が架台に衝突する危険を大に低減できて、搬入搬出作業の安全性を格段に向上できる。
【００１９】
また棚は、所定の位置に配設した架台の係着手段に橋板を係着して行くだけで棚を構築できるため、組み立てに際してこれに使用するねじの締め付け忘れ等が発生する恐れも可及的小にでき、したがって、簡単にかつしっかりと棚を組み立てることができる。
【００２０】
また、架台の脚部材を着脱できるようにしているものは同脚部材が１本づつになるので、架台を輸送する際に同架台の輸送数量をより大にでき、また、保管の際も少ないスペースで保管することができる。
【００２１】
前述する架台の脚部材を着脱できるよう接続部材を用いた場合、接続部材は、同本体となる接続本体を桁部材側に固定して同接続本体と桁部材側を一体にするので、桁部材と接続本体とががた付くことなく安定させることができる。
【００２２】
そして、前述した接続本体と桁部材との固定に際し、接続本体の溝底部と桁部材の端部との間に後で挿通する脚部材が通過できる間隙を設けて固定しているため、この桁部材と一体になった接続本体に次いで接続する脚部材の端部寄りを同間隙内に挿入でき、さらに脚部材の側壁が、締め付け手段により絞られた接続本体の両側壁によって締め付けられるので、少なくとも接続本体の両側壁面によって脚部材の接続本体における側壁上端部側の側壁角部がしっかりと保持されるとともに、脚部材が接続本体の溝内底部に押圧されることから、脚部材を同脚部材の支持部位となる接続本体における溝内底部の全域で支持でき、したがって脚部材においてもがた付くことなく安定して支持できる。
【００２３】
また、接続本体と脚部材との接続固定は、接続本体の両側壁面が脚部材の接続本体における側壁上端部側の側壁角部を押圧して接続固定するようにしているので、接続本体の溝内に挿通する脚部材の幅に対し接続本体の両側壁間を幅広くすることができ、したがって組み立ての際に脚部材を接続本体の溝内にスムースに挿通することができる。
【００２４】
さらに、脚部材による桁部材の支持を、脚部材に固定するブロック体で支持しているので、通常行われる脚部材と桁部材を接続しているボルトによって同桁部材を支えるものと比して、本発明の棚のように大なる荷重が掛かる桁部材を安定に、かつしっかりと支えることができる。
【発明を実施するための最良の形態】
【００２５】
以下、本発明の棚を添付図面に基づいて説明する。
図１は棚の構成を示し、この棚は矩形の橋板１と架台２とよりなり、さらに図２に示すように第２の橋板１ａを加えて、橋板１と第２の橋板１ａと架台２とより棚を構成する場合もある。
【００２６】
橋板１は、図３に示すように、矩形の本体における下面部が内方に凹んだ形状となっていて、また、棚が重量物用のものとなる場合は、図３中には示していないが、図２に示した第２の橋板１ａのように、少なくとも前記凹内に縦横の桁部材６を設ける場合がある。
【００２７】
そして、図２に示した第２の橋板１ａは、基本的には橋板１と同じように、矩形の本体における下面部が内方に凹んだ形状になっているとともに、天板部材３ａの裏側となる凹内に縦横の桁部材６を設けている。
【００２８】
また、第２の橋板１ａにおける周縁の対向する２辺に係着部材たるフック５ａを設けていて、このフック５ａを介して前記橋板１を同２辺に接続できるようにしている。
【００２９】
架台２は、矩形の天板部材３における四隅に脚部材４を設けていて、これら脚部材４は、天板部材３の下面に配設している縦横の桁部材６における周縁の桁部材６に配設している。
【００３０】
そして、脚部材４はブレース７によって補強されていて、実施例ではブレース７は２本の脚部材４間に筋交い状に２本を設けているが、他にも、桁部材６と並行に脚部材４間に１本または複数本設ける場合もあり、さらには、４本全ての脚部材４間にブレース７を設ける場合もある。
【００３１】
また、脚部材４は接続部材８を介して桁部材６に接続していて、この桁部材６に装着した接続部材８に備える締め付け部材たる固定ねじ１７とナット１８（図６参照）による締め付け固定を解除することによって脚部材４を接続部材８より取り外すことができるようにしている。
【００３２】
そして、架台２における天板部材３の下面周縁に配設している縦横の桁部材６に係着部材たるフック５を設けていて、このフック５を介して前記橋板１、第２の橋板１ａを架台２における天板部材３の４辺に接続できるようにしている。
【００３３】
そして図４に示すように、架台２を、橋板１、第２の橋板１ａの縦もしくは横幅に対応する間隔を空けて同架台２のフック５が対向するように配し、これら架台２のフック５に、橋板１の側壁１ｂを、また第２の橋板１ａの側壁１ｂを引っ掛けていくと棚を構築できる（図５参照）。
【００３４】
また図６に示すように、前述したフック５、５ａによる橋板１、第２の橋板１ａの係着は、架台２におけるＬ字状の係着手段たるフック５に、橋板１の立下り部分たる側壁１ｂ、第２の橋板１ａにおけるフック５ａがない立下り部分たる側壁１ｂを引っ掛けて係着するようにしていて、係着後は、架台２、橋板１、第２の橋板１ａにおけるそれぞれの上面が略段差なく架設されるようにしている。
【００３５】
そして、前述する脚部材４と桁部材６との接続を、出願人が独自に開発した接続部材（接続部材８）を用いて行う方法を、図７〜９にて説明する。
【００３６】
図７は、接続部材８の構成を示しており、内外寸法を桁部材、脚部材に対応させて形成した接続本体９と、脚部材に取り付けて桁部材を支持するブロック体７と、接続本体９における溝底部１０ａを挟んで対向する両側壁１１の溝底部１０ａ側と反対方向の両側壁１１上端部側を互いが接近する方向に絞るための締め付け手段たるボルト１７、ナット１８からなる締め付け部材１６から構成している。
【００３７】
この接続部材８は、図８に示すように、桁部材６を接続本体９の端部に固定しているとともに、接続本体９の溝底部１０ａに端面を対向させて固定される側の桁部材６の固定部位を、この桁部材６の外形に合わせて切り欠いて（切り欠き部１３）、接続本体９と同桁部材６とを溶接して固定する際に、桁部材６の少なくとも２辺が接続本体９と溶接できるようにして固定の強度がより上がるようにしている。
【００３８】
また、接続本体９の溝底部１０ａを挟んで対向する両側壁１１の溝底部１０ａ側と反対方向の側壁１１上端部を、溝１０内に挿通する脚部材４よりも高なる位置にしていて、また両側壁１１には、脚部材４よりも高なる位置に締め付け手段たるボルト１７の通孔１２を設けている。
【００３９】
そして、脚部材４に固定したブロック体１４に、前記締め付け手段たるボルト１７が通過できる通孔１５を設けていて、ブロック体１４を支点に、ブロック体１４の通孔１５、接続本体９における側壁１１の通孔１２に挿通したそれぞれのボルト１７とこのボルト１７に螺合するナット１８とによる締め付けにより、図９における矢印が示す方向すなわち両側壁１１の上端部側を互いが接近する方向に絞れるようにしている。
【００４０】
しかしながら、本実施例では示していないが、強度をそれほど必要としない場合は、接続本体９に切り欠き部１３を形成しないで、前述した接続本体９の溝底部１０ａに端面を対向させて固定される側の桁部材６の端部乃至端部近傍を接続本体９の両側壁１１もしくは一方の側壁１１における端部乃至端部近傍に固定する場合もある。
【００４１】
また桁部材６を接続本体９の端部に固定しないで、接続本体９の中程に固定する場合もある。
【００４２】
実施例では、接続本体９と桁部材６との固定の方法を溶接としているが、これらを形成する素材により、溶接ではなく他の公知の手段を用いて固定する場合もある。
【００４３】
また、ブロック体１４の通孔１５、接続本体９における側壁１１の通孔１２に挿通したそれぞれのボルト１７に螺合するナット１８とによる締め付けにより、両側壁１１の上端部側を互いが接近する方向に絞るようにするのではなく、例えば、クランプ具のような構造の締め付け具により、接続本体９における両側壁１１の上端部側を互いが接近する方向に絞るようにする場合もある。
【００４４】
そして、架台２の縦横方向に配設している桁部材６に接続部材８の接続本体９を取り付けるには、図８に示すように、一方の桁部材６における端面を接続本体９における溝１０の溝底部１０ａに対向させて、同桁部材６の端部と長手方向の辺部を接続本体９の切り欠き部１３に、かつ接続本体９の溝底部１０ａと桁部材６の端部との間に後で挿入する脚部材４が通過できる間隙を設けて溶接固定して、さらに他方の桁部材６を、接続本体９の側壁１１外面における所定の位置に溶接  固定する。
【００４５】
次に、架台２の脚部材４に接続部材８のブロック体１４を取り付けるには、図８に示すように、脚部材４における一方の端部から所定の距離を空けた側壁外面にブロック体１４を溶接固定する。
【００４６】
次いで、接続部材８を介して行う脚部材４と桁部材６との接続は、脚部材４におけるブロック体１４を接続本体９における溝１０上方部開口側に向け、かつブロック体１４よりも端部側の部位を、溝底部１０ａに端面を対向して溶接固定されている桁部材６の下方に入れ込む（図８における矢印が示す方向に）とともにブロック体１４が桁部材６に当接するまで脚部材４を接続本体９における溝１０内に挿通する。
【００４７】
次いで、図９に示すように、締め付け部材１６のボルト１７を、接続本体９の外方から接続本体９の側壁１１における通孔１２、ブロック体１４の通孔１５に挿通する。
【００４８】
次いで、前記接続本体９の側壁１１における通孔１２とブロック体１４の通孔１５に挿通したボルト１７にナット１８を螺合し、ボルト１７とボルト１７に螺合したナット１８とによる締め付けにより、接続本体９における両側壁１１の上端部側が互いに接近する方向、すなわち図９中の矢印方向に絞る。
【００４９】
以上により、接続部材８による脚部材４と桁部材６との接続が完了し、接続部材８の本体となる接続本体９とそれぞれの桁部材６とが溶接で固定されて一体となり、また、脚部材４のブロック体１４よりも端部側の部位が接続本体９の溝底部１０ａと桁部材６の端部との間に有する隙間に入り込み、またボルト１７にナット１８とによる締め付けにより絞られた接続本体９の両側壁１１によって脚部材４の側壁角部がしっかりと保持されるとともに、脚部材４が接続本体９の溝底部１０ａ内面に押圧されるため、脚部材４を、脚部材４の支持部位となる接続本体９における溝底部１０ａ内面の全域で支持することができて、脚部材４をがた（遊び）が無いに等しい状態で支持する。
【００５０】
また、図９におけるボルト１７の挿通方向を、ブロック体１４の内方からブロック体１４の通孔１５、接続本体９の側壁１１における通孔１２に挿通する場合もある。
【００５１】
そして橋板１、第２の橋板１ａ、架台２の形状は、それぞれ平面視において長方形や正方形にしたり、また、大きさを異にするものを組み合わせて構成する場合もある。
【００５２】
また架台における脚部材と桁部材が着脱可能に構成される場合、使用状況に応じた長さの脚部材を選ぶことができ、さらに階段状の場所では、４本の脚部材の長さが異なるものを取り付けて使用することができる。
【図面の簡単な説明】
【００５３】
【図１】本発明に係る棚を、架台の天板部材の一部を切り欠いて示す斜視図。
【図２】第２の橋板を、天板部材の一部を切り欠いて示す斜視図。
【図３】橋板の断面図。
【図４】棚の構築例を示す斜視図。
【図５】図４に示した棚の完成図。
【図６】橋板と架台の係着状態を示す断面図。
【図７】接続部材の構成を示す斜視図。
【図８】接続部材による脚部材の接続を示す図。
【図９】脚部材を接続した状態を示す図。
【符号の説明】
【００５４】
１  橋板
１ａ  第２の橋板
１ｂ  側壁
２  架台
３  天板部材
３ａ  天板部材
４  脚部材
５  フック
５ａ  フック
６  桁部材
７  ブレース
８  接続部材
９  接続本体
１０  溝
１０ａ  溝底部
１１  側壁
１２  通孔
１３  切り欠き部
１４  ブロック体
１５  通孔
１６  締め付け部材
１７  ボルト
１８  ナット
【図１】
2010037005.tif 000003
【図２】
2010037005.tif 000004
【図３】
2010037005.tif 000005
【図４】
2010037005.tif 000006
【図５】
2010037005.tif 000007
【図６】
2010037005.tif 000008
【図７】
2010037005.tif 000009
【図８】
2010037005.tif 000010
【図９】
2010037005.tif 000011